(57)【要約】【課題】  自機のライブラリ情報及びネットワーク上の映像機器のライブラリ情報の検索結果に応じて、予約録画等の映像処理を行うことができる記録再生装置を提供する。【解決手段】  放送信号を選局し復調して映像音声情報を出力するチューナ部１２と、チューナ部の映像音声情報を記憶領域に記録する記録部１８と、ネットワークを介して外部機器と通信を行う通信部１１と、与えられる所定情報に基づいて、記録部の記憶領域に格納されたライブラリ情報及び通信部を介して外部機器の記憶領域に格納されたライブラリ情報を検索する検索部４２と、検索部の検索結果に応じて所定情報に基づく予約録画を行うべくチューナ部と記録部とを制御する制御部３０とを有する記録再生装置。【選択図】図１
2006019933.tif 000002
【特許請求の範囲】
【請求項１】
放送信号を選局し復調して映像音声情報を出力するチューナ部と、
前記チューナ部の前記映像音声情報を記憶領域に記録する記録部と、
ネットワークを介して外部機器と通信を行う通信部と、
与えられる所定情報に基づいて、前記記録部の記憶領域に格納されたライブラリ情報及び前記通信部を介して前記外部機器の記憶領域に格納されたライブラリ情報を検索する検索部と、
前記検索部の検索結果に応じて、前記所定情報に基づく予約録画を行うべく前記チューナ部と前記記録部とを制御する制御部とを具備することを特徴とする記録再生装置。
【請求項２】
前記検索部は、前記チューナ部又は前記通信部を介して取得したＥＰＧ情報に基づいて、これから予約録画を行おうとする番組情報である前記所定情報を特定することを特徴とする請求項１記載の記録再生装置。
【請求項３】
前記制御部は、前記検索部の検索結果に応じて、前記所定情報が前記記録部の記憶領域の前記ライブラリ情報又は前記外部機器の記憶領域の前記ライブラリ情報に存在する際に、その旨を表示するべく表示信号を生成することを特徴とする請求項１記載の記録再生装置。
【請求項４】
前記制御部は、前記検索部の検索結果に応じて、前記所定情報が前記記録部の記憶領域の前記ライブラリ情報又は前記外部機器の記憶領域の前記ライブラリ情報に存在する場合でも、ユーザの録画指示を受けることで、予約録画を行うべく制御することを特徴とする請求項１記載の記録再生装置。
【請求項５】
前記制御部は、前記検索部の検索結果に応じて、前記所定情報が前記記録部の記憶領域の前記ライブラリ情報又は前記外部機器の記憶領域の前記ライブラリ情報に存在する場合でも、前記所定情報に対応する録画済の映像情報よりも高レートの画質により、前記所定情報に対応する予約録画を行うべく制御することを特徴とする請求項１記載の記録再生装置。
【請求項６】
前記制御部は、前記検索部の検索結果に応じて、前記所定情報が前記記録部の記憶領域の前記ライブラリ情報又は前記外部機器の記憶領域の前記ライブラリ情報に存在する場合でも、前記所定情報に対応する録画済の映像情報よりも低レートの画質により、前記所定情報に対応する予約録画を行うべく制御することを特徴とする請求項１記載の記録再生装置。
【請求項７】
前記制御部は、前記検索部の検索結果に応じて、前記所定情報に対応する録画済の映像情報の中にテロップ等の付加画像を含んでいることを表示するべく表示信号を生成することを特徴とする請求項１記載の記録再生装置。
【請求項８】
放送信号を選局し復調して映像音声情報を出力するチューナ部と、
前記チューナ部の前記映像音声情報を記憶領域に記録する記録部と、
ネットワークを介して外部機器と通信を行う通信部と、
前記通信部を介して外部機器から、前記記録部の記憶領域に記録されている映像情報又は録画予約情報等のライブラリ情報の送信の要求を受けた場合、これを前記通信部を介して前記外部装置に送信するべく制御する制御部と、
を具備することを特徴とする記録再生装置。
【請求項９】
前記制御部が送信するライブラリ情報は、前記記録部の記憶領域に記録されている映像情報にテロップ等の付加映像が含まれることを示すことを特徴とする請求項８記載の記録再生装置。
【請求項１０】
放送信号を選局し復調して映像音声情報を出力するチューナ部と、
前記チューナ部の前記映像音声情報を記憶領域に記録する記録部と、
ネットワークを介して外部機器と通信を行う通信部と、
与えられる所定情報に基づいて、前記記録部の記憶領域に格納されているライブラリ情報を検索する検索部と、
前記検索部の検索結果に応じて、前記所定情報に応じた映像情報を、前記通信部を介して前記外部機器からダウンロードするべく制御する制御部と、
を具備することを特徴とする記録再生装置。
【請求項１１】
前記検索部の検索は、前記所定情報のタイトル情報と、前記記録部の記憶領域の前記ライブラリ情報内のタイトル情報とを比較することで検索することを特徴とする請求項１０記載の記録再生装置。
【請求項１２】
放送信号を選局し復調して映像音声情報を出力するチューナ部と、前記チューナ部の前記映像音声情報を記憶領域に記録する記録部とをもつ記録再生装置において、
与えられる所定情報に基づいて、前記記録部の記憶領域に格納されているライブラリ情報を検索し、
ネットワークを介して外部機器と通信を行い、前記所定情報に基づいて、前記外部機器の記憶領域に格納されているライブラリ情報を検索し、
この検索結果に応じて、前記所定情報に基づく予約録画を行うべく前記チューナ部と前記記録部とを制御することを特徴とする記録再生方法。
【発明の詳細な説明】
【技術分野】
【０００１】
この発明は、ハードディスクレコーダ等の記録再生装置に関し、特に、自機及び周辺機器のライブラリ情報を検索・活用する記録再生装置及び記録再生方法に関する。
【背景技術】
【０００２】
最近、デジタル機器の普及と共にハードディスクレコーダ等の記録再生装置が一般化しつつあり、従来のＶＴＲ（Video Tape Recorder）による記録再生処理の場合よりも、多くの映像情報を容易に記録・再生することが可能となってきている。これに伴い、映像情報等のライブラリ情報が増加し、特に、録画予約等の際において、すでに録画済の映像情報であるライブラリ情報を検索し参照する技術が提案されている。
【０００３】
特許文献１においては、記録再生装置において、録画予約すべく番組情報が入力されると、自機の過去の予約情報を参照し、同一番組の重複録画の防止等を回避することが提案されている。
【特許文献１】特開平１０−３２６４７９号公報。
【発明の開示】
【発明が解決しようとする課題】
【０００４】
しかしながら上記した従来技術においては、録画予約すべく番組情報が自機の過去の予約履歴情報に存在するかどうかを確認する意図はあるが、例えば、家庭内に複数台存在し、互いにＩＥＥＥ１３９４や無線ＬＡＮ等のネットワークで通信可能な複数のハードディスクレコーダ等の録画再生装置におけるライブラリ情報について、検索を行うことはできないという問題がある。
【０００５】
本発明は、自機のライブラリ情報及びネットワーク上の映像機器のライブラリ情報の検索結果に応じて、予約録画等の映像処理を行うことができる記録再生装置及び記録再生方法を提供することを目的とする。
【課題を解決するための手段】
【０００６】
本発明の一実施形態に係る記録再生装置は、放送信号を選局し復調して映像音声情報を出力するチューナ部と、前記チューナ部の前記映像音声情報を記憶領域に記録する記録部と、ネットワークを介して外部機器と通信を行う通信部と、与えられる所定情報に基づいて、前記記録部の記憶領域に格納されたライブラリ情報及び前記通信部を介して前記外部機器の記憶領域に格納されたライブラリ情報を検索する検索部と、前記検索部の検索結果に応じて、前記所定情報に基づく予約録画を行うべく前記チューナ部と前記記録部とを制御する制御部とを具備することを特徴とする記録再生装置である。
【発明の効果】
【０００７】
本発明の一実施形態である記録再生装置においては、ユーザが、例えば、来週、テレビ番組として放送予定の映画『ＡＢＣ』について予約録画を行おうとする場合、家庭内にある複数台のハードディスクレコーダの各ライブラリの中のどこかに、この映画『ＡＢＣ』が既に録画済であるかどうかを検索し判断するものである。すなわち、このライブラリ検索は、現在、ユーザが録画予約を設定しようとしている自機としてのハードディスクレコーダ内のライブラリ情報だけではなく、例えば、家庭内やオフィス内の有線又は無線ネットワークで通信可能なハードディスクレコーダやパーソナルコンピュータ等やサーバ等の記憶領域のライブラリ情報に対しても検索の対象とするものであり、これにより、家庭内に同一の映像情報が分散して存在してしまう等の不具合を解消するものである。
【０００８】
又、更に、本発明の一実施形態である記録再生装置においては、同一の映画『ＡＢＣ』の映像情報が、自機又はネットワーク上の機器内に見つかった場合に、必ずしも予約録画を中止するものではなく、録画済の映像情報の録画状況を吟味し、録画済の映像情報よりも高レートで再び録画する等の選択肢をユーザに与えるものである。これにより、本発明の一実施形態である記録再生装置によれば、そのユーザがネットワーク上に所有しているライブラリ資源を十二分に活用する機会を得ることができる。
【発明を実施するための最良の形態】
【０００９】
以下、この発明の実施の形態について図面を参照して詳細に説明する。  
本発明に係る記録再生装置として、図１に示すような複合型記録再生装置である記録再生装置１０を例に挙げて、以下に詳細に説明する。
【００１０】
＜本発明の一実施形態に係る記録再生装置＞
初めに、本発明に係る記録再生装置の構成を図面を用いて説明する。図１は、本発明の一実施形態に係る記録再生装置の構成の一例を示すブロック図である。
【００１１】
（構成）
この実施形態では、記録再生装置１０は、記録媒体としてＤＶＤ−ＲＡＭとハードディスクの双方を取り扱うことができる装置として示しているが、ハードディスク又はＤＶＤ−ＲＡＭは、例えば、半導体メモリによる記録媒体などに置換されてもよい。図１の各ブロックを大きく分けると、左側には記録部の主なブロックを示し，右側には再生部の主なブロックを示している。
【００１２】
図１の記録再生装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１３】
又、図１の記録再生装置１０は、録画側を構成するエンコーダ部２１と、再生側を構成するデコーダ部２２と、装置本体の動作を制御する制御部３０とを主たる構成要素としている。記録再生装置１０は、入力側のセレクタ１６と出力側のセレクタ１７とを有しており、入力側のセレクタ１６には、ネットワークＩ／Ｆ部１１と、チューナ部１２と、入力部１３とが接続され、エンコーダ部２１、又は、データベース部４１に信号を出力する。又、記録再生装置１０は、エンコーダ部２１に接続されるフォーマッタ部２３と、エンコーダ部２１の出力を受け、例えば音声ライブラリの検出処理と連動して、データ編集等の所望のデータ処理を行うデータ編集部２０、データ編集部２０に接続されるハードディスクドライブ部１８、光ディスクドライブ部１９を有している。更に、記録再生装置１０は、ハードディスクドライブ部１８、光ディスクドライブ部１９からの信号を受けてデコードするデコーダ部２２と、エンコーダ部２１、デコーダ部２２、制御部３０、表示部３３からの操作信号を受けるビデオミキシング部２４とを有している。これらの各部は、データバスを介して制御部３０に接続されている。更に、セレクタ部１７の出力は、外部のスピーカ部２５と、ディスプレイ部２６とに接続されるか、外部装置との通信を行うインタフェース部２７を介して、外部装置に供給される。
【００１４】
更に、記録再生装置１０は、データバスを介して制御部３０に接続され、ユーザの操作やリモコンＲの操作を受ける操作部３２を有している。ここで、リモコンは、記録再生装置１０の本体に設けられる操作部３２とほぼ同等の操作を可能とするものであり、ハードディスクドライブ部１８や光ディスクドライバ部１９の記録再生指示や、編集指示、又、チューナの操作、予約録画の設定等、各種設定が可能である。又、更に、記録再生装置１０は、データバスを介して制御部３０に接続される、セレクタ部１６等からの画像信号等の出力や映像音声情報等を格納するデータベース部４１と、自機のライブラリ情報及びネットワーク上の機器のライブラリ情報を対象に検索・比較処理を行うライブラリ検索・比較・管理部４２と、ハードディスクドライブ部１８や光ディスクドライブ部１９を用いて、特に上述したライブラリ検索・比較・管理部４２と連動して又は連動することなく予約録画を実行する予約録画管理部４３とを有している。
【００１５】
（基本動作）
このような構成の記録再生装置において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号Ｓが出力される。この検出信号Ｓに基づいて、ＲＦ信号が生成され、再生処理が行われる。
【００１６】
又、光ディスクの記録処理は、制御部３０の制御下において、例えば入力部１３、セレクタ部１６を介して供給されたデータは一時的に音声ライブラリ管理部４２の記憶領域に蓄えられた後にエンコーダ部２１に供給され、コード化されて出力される。このコード化出力と制御部３０の出力に応じて、レーザドライバ６５の駆動電流が光ピックアップ５１に供給され、光ディスクＤの記憶領域に照射することで、記録処理が行われるものである。
【００１７】
（詳細な動作）
・記録処理等
次に、このような構成を有する記録再生装置１０の動作を、更に詳細に説明する。初めに、主に記録時の動作について、他の実施形態も含めて詳細に説明する。記録再生装置１０の入力側として、ネットワークＩ／Ｆ部１１は、例えば、インターネット等を介してサーバＳ等に接続しコンテンツ情報等をダウンロードしたりする。又、チューナ部１２は、アンテナを介して放送信号を選局し復調して映像信号及び音声信号を出力するもので、広範な種類に対応するもので、例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部を２つ又は３つ以上を有し、予約録画の要求に応じて平行して機能させるものであることも好適である。
【００１８】
又、入力部１３は、外部から、輝度信号や色差信号、コンポジット等の映像信号、音声信号を受ける。これらは、制御部３０等で制御されるセレクタ１６により、入力が制御されて、エンコーダ部２１に選択的に供給される。すなわち、エンコーダ部２１には、入力部１３からの外部アナログビデオ信号や外部アナログオーディオ信号、又は、ＴＶチューナ１２からのアナログビデオ信号とアナログオーディオ信号が、セレクタ１６を介して入力される。
【００１９】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、バッファメモリを含むフォーマッタ部２３にて所定のＭＰＥＧ等の圧縮フォーマットに変換され、先の制御部３０に供給される。
【００２０】
なお、エンコーダ部２１は、直接圧縮されたデジタルビデオ信号やデジタルオーディオ信号が直接入力されるときは、圧縮デジタルビデオ信号やデジタルオーディオ信号を直接フォーマッタ部２３に供給することもできる。又、エンコーダ部２１は、アナログデジタル変換されたデジタルビデオ信号やオーディオ信号を、ビデオミキシング部２４やセレクタ部１７に直接供給することもできる。
【００２１】
ここで図１の装置は、フォーマッタ部２３でフォーマット化された情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００２２】
又、上述した予約録画管理部４３によれば、リモコンＲや操作部３２から入力された予約情報、又、チューナ部１２やネットワークＩ／Ｆ部１１を介して取得したＥＰＧ（Electronic Program Guide）情報又はｉＥＰＧ情報に基づいて、予約録画を行う。又、この予約録画により蓄積された録画情報に応じたライブラリ情報が、ライブラリ検索・比較・管理部４２で生成され管理される。
【００２３】
・編集処理等
データ編集部２０により、ハードディスクドライブ部１８又は光ディスクＤに記録されている複数番組のビデオオブジェクトを、一部削除したり、異なる番組のオブジェクトをつなげたり、といった編集処理を行うこともできる。
【００２４】
編集処理の際、又は、他の処理の際に、ＭＰＵの実行結果のうち、ユーザに通知すべき内容は、記録再生装置の表示部３３に表示されるか、又は、ディスプレイ２６にＯＳＤ（オンスクリーンディスプレイ）表示される。又、制御部３０は、この装置を操作するための操作信号を与える操作部３２を有する。操作部３２は、更に、リモコンＲを伴うことが好適である。
【００２５】
・再生処理等  
次に、主に記録された情報の再生処理について、他の実施形態も含めて詳細に説明する。デコーダ部２２は、デコードされた主映像にデコードされた副映像を適宜合成し、主映像にメニュー、ハイライトボタン、字幕やその他の副映像を重ねて出力するビデオプロセッサを備えている。
【００２６】
デコーダ部２２の出力ビデオ信号は、ビデオミキシング部２４に入力される。ビデオミキシング部２４では、テキストデータの合成が行われる。又、ビデオミキシング部２４には、ＴＶチューナ１２や入力部１３からの信号を直接取り込むラインも接続されている。ビデオミキシング部２４には、バッファとして用いる図示しないフレームメモリが接続されている。ビデオミキシング部２４の出力が、セレクタ部１７に供給され、セレクタ部１７により選択されれば、ディスプレイ２６に供給されて表示されるか、Ｉ／Ｆ（インタフェース）部２７を介して外部装置に供給される。
【００２７】
デコーダ部２２の出力オーディオ信号は、セレクタ部１７を介して図示しないデジタルアナログ変換器でアナログ変換されてスピーカ２５に供給されるか、Ｉ／Ｆ部２７を介して外部装置に供給される。セレクタ部１７は、制御部３０からのセレクト信号により制御される。これによりセレクタ部１７は、ＴＶチューナ１２や入力部１３からのデジタル信号を直接モニタする時、エンコーダ部２１をスルーした信号を直接選択することも可能である。
【００２８】
この実施形態の記録再生装置１０は、このように総合的な機能を有するものであり、多くのソースに対してハードディスクドライブ部１８（又は光ディスクＤ）による記録・再生処理を行うものである。次に、ここで、この記録再生装置１０の、主にライブラリ検索・比較・管理部４２による、ライブラリ検索処理及びこれに関連した予約録画処理又はダウンロード処理等を以下にフローチャート等を用いて詳細に説明する。
【００２９】
＜ライブラリ検索処理＞
次に、本発明の一実施形態に係る記録再生装置のライブラリ検索処理について、図面を用いて詳細に説明する。図２は、本発明の一実施形態に係る記録再生装置のライブラリ検索処理の概要の一例を示す説明図、図３は同じくライブラリ検索処理の概要の一例を示すフローチャート、図４は同じくライブラリ検索処理の一例を示すフローチャート、図５は同じくライブラリ送信要求処理の一例を示すフローチャート、図６は同じくライブラリ送信処理の概要の一例を示すフローチャート、図７は同じくライブラリ検索・ダウンロード処理の一例を示すフローチャートである。
【００３０】
（ライブラリ検索処理の一実施形態）
初めに、本発明の一実施形態に係るライブラリ検索処理の一実施形態について説明する。ライブラリ検索処理は、図２に示すように、記録再生装置１０のライブラリ検索・比較管理部４２において行われるもので、リモコンＲ等の操作部３２を介して与えられる所定情報（予約情報）である映画『ＡＢＣ』のタイトル情報や、放送日時、チャンネル等のＥＰＧ情報、又は、映画『ＡＢＣ』の監督・俳優・製作年度・配給会社等の詳細情報等が用いられる。
【００３１】
一方で、ネットワークＩ／Ｆ部１１等を介して、ネットワーク上の複数のハードディスクレコーダＨ１，Ｈ２等から取得したライブラリ情報、及び、インターネット等から取得したＥＰＧ情報等が、データベース部４１等にダウンロードされて、ライブラリ検索の対象とされるものである。このとき、ライブラリ検索結果は、例えば、予約録画管理部４３の予約録画処理に反映されるものである。
【００３２】
すなわち、本発明の一実施形態であるライブラリ検索処理の適用例として、図３において、映画『ＡＢＣ』の録画予約に適用する場合を図３で以下に説明する。図３において、放送局において、映画『ＡＢＣ』の１度目の放送日時（２００３年１２月）が決定されると、番組表が例えばＥＰＧ情報を介して公開され（Ｓ１１）、ユーザは、これを知って、映画『ＡＢＣ』の録画予約の操作を行うことにより（Ｓ１２）、レコーダ１２において、自機のライブラリ情報又はネットワーク上のライブラリ情報を取得し、これと予約情報とを比較して、ライブラリ情報になければ、例えば、予約登録を行う（Ｓ１３）。これにより、予約録画が行われ、自機内に映画『ＡＢＣ』のライブラリ情報が作成される。
【００３３】
一方、次に、放送局において、映画『ＡＢＣ』の２度目の放送（２００４年６月）が予定され（Ｓ１４）、ユーザが以前に録画したことを忘れて、再度、録画予約処理を行う（Ｓ１５）。この際に、ライブラリ・検索・比較・管理部４２の働きにより、自機のデータベース部４１等のライブラリ情報及びネットワーク上の機器のライブラリ情報を取得し、これと、映画『ＡＢＣ』の予約情報とを比較して、自機（又はネットワーク上のライブラリ情報）に既に存在するので、これを画面上でユーザに知らせる（Ｓ１６）。これに対して、ユーザは、再録画するかどうかを判断することができ（Ｓ１７）、ユーザの判断により再び、予約録画が行われる。
【００３４】
そして、放送局において３度目の放送（２００５年８月）が決定され、ＥＰＧ情報等で公開された際に（Ｓ１８）、これに対して、ユーザは、再び、過去に２度録画したことを忘れて、レコーダ１０に対して予約処理を行う（Ｓ１９）。これに対して、レコーダ１０は、ライブラリ・検索・比較・管理部４２の働きにより、自機のデータベース部４１等のライブラリ情報及びネットワーク上の機器のライブラリ情報を取得し、これと、映画『ＡＢＣ』の予約情報とを比較して、自機に存在することを画面上でユーザに知らせる（Ｓ２０）。これに対して、ユーザは、今度は、再録画しないと判断し（Ｓ２１）、レコーダ１０において、予約処理は取り消されるものである（Ｓ２２）。
【００３５】
（ライブラリ検索処理に応じた予約録画処理）
次に、ハードディスクレコーダ１０の動作として、このライブラリ検索処理を図４のフローチャートで示すと、制御部３０の制御下において、ユーザからの録画予約の指示があると（Ｓ３１）、ライブラリ検索・比較・管理部４２は、ユーザの操作に応じた予約情報、すなわち、チューナ部１２又はネットワークＩ／Ｆ部１１を介して取得したＥＰＧ情報に応じた予約情報からの、番組のタイトル情報又は番組を特定することができる管理情報等を取得する（Ｓ３２）。ここで、ＥＰＧ情報から、例えば、番組タイトル情報等の番組情報の詳細情報を取得することは容易であるが、ＥＰＧ情報等を用いずに、例えば、リモコンＲ等からテキストデータとして、番組タイトル等を入力することも好適である。
【００３６】
ここで、この予約情報と、自機の本体中のデータベース部４１に格納されたライブラリ情報、又は、過去の録画予約処理による予約履歴情報から、この予約情報と同一のライブラリ情報が存在するかどうかが判断される（Ｓ３３）。
【００３７】
そして、ネットワーク上の他のレコーダＨ１，Ｈ２に対しても、予約情報に関して、ライブラリ情報の検索処理を行うかどうかが判断され（Ｓ３４）、行う場合は、ネットワーク上の他のレコーダＨ１，Ｈ２からライブラリ情報をネットワークＩ／Ｆ部１１を介して取得し（Ｓ３５）、取得したライブラリ情報中に予約情報と同一データがあれば（Ｓ３６）、ライブラリ検索・比較・管理部４２は、例えば、その旨を示す表示情報を生成してビデオミキシング部２４等により本来の映像情報等と合成してセレクタ部１７へ出力する（Ｓ３７）。このとき、既に録画済であることを示すだけではなく、更に、録画するかどうか、又、その際に、どのような条件で録画するかどうかの操作画面を合わせて表示することが好適である。すなわち、既に録画済の映像情報よりも高レート（又は低レート）にて録画処理することを選択する選択肢を表示することが好適である。
【００３８】
又、更には、既に録画済の映像情報に、例えば、災害情報等のテロップ等の付加情報が入ってしまっているか等の参考情報を同時に表示させ、ユーザに、再び、録画するかどうかを選択させることが好適である。ここで、ユーザが再度、録画することを指示すれば（Ｓ３８）、予約情報を予約録画管理部４３において登録し、この予約情報に応じて予約録画処理がなされるものである（Ｓ３９）。又、録画予約の指示がなければ、予約録画は中止した旨の表示をすることが好適である（Ｓ４０）。
【００３９】
更に、ステップＳ３５において、ネットワーク上の他のハードディスクレコーダＨ１，Ｈ２等から、ライブラリ情報を取得する際のサブルーティンの一実施形態を図５のフローチャートを用いて、詳細に説明する。なお、ここでの通信規約は、無線ＬＡＮであるＩＥＥＥ８０２．１１等のプロトコルであってもよく、又、有線通信のイーサネット（登録商標）であってもよく、又、ＩＥＥＥ１３９４であってもよく、又、ＵＳＢであってもかまわない。
【００４０】
すなわち、記録再生装置１０においては、ステップＳ３５において、ライブラリ検索・比較・管理部４２又は制御部３０の判断により、ネットワーク上の他のハードディスクレコーダＨ１，Ｈ２等から、ライブラリ情報を取得することを判断すると（Ｓ５１）、制御部３０及びネットワークＩ／Ｆ部１１の働きにより、ネットワーク上の機器に、自身の機器のＩＤ情報を送信する（Ｓ５２）。この機器ＩＤ情報を受けた、例えば、ネットワーク上のハードディスクレコーダＨ１は、機器ＩＤに応じて、認証処理を行う（Ｓ５３）。認証処理において、受信した機器ＩＤを正当のものと認めない場合は（Ｓ５４）、認証不可と送信して処理を終え（Ｓ５５）、正当のものと認めると（Ｓ５４）、機器ＩＤ情報が認証された旨の信号を記録再生装置１０に送信し（Ｓ５６）、記録再生装置１０は、ネットワーク上の機器から認証された旨の信号を受けると（Ｓ５７）、ネットワーク上の機器に、ライブラリ情報更には予約履歴情報等の送信を要求する（Ｓ５８）。そして、ネットワーク上の機器は、送信要求を受けると（Ｓ５９）、自身のデータベースからライブラリ情報や予約履歴情報を送信する（Ｓ６０）。一方、これを受けた記録再生装置１０は（Ｓ６１）、受信したライブラリ情報及び予約履歴情報等をデータベース部４１等に格納する（Ｓ６２）。
【００４１】
（ライブラリ情報の送付処理）
一方、本発明の一実施形態における記録再生装置１０は、他のハードディスクレコーダＨ１等に、ライブラリ情報等の送信要求を行うだけではなく、例えば、他のハードディスクレコーダや、更には、図６に示すように、例えば、レンタル店のサーバ等からライブラリ情報等の送信要求にも応じて、図５のフローチャート等に先に示した場合等の手順により、これを送信するものである。
【００４２】
これにより、図６に示す送信処理の概要の一例を示すフローチャートのように、ユーザのライブラリ状況に応じたレンタル店の利用が可能となるものである。すなわち、ユーザが、例えば、近所のレンタルビデオ店に出かけていき、あるビデオを借りようとするが、以前に借りて録画したような気がする場合など（Ｓ７１）、レンタルビデオ店のサーバ装置Ｓを利用してビデオタイトルの情報を入力し、そして、サーバ装置Ｓをインターネット等のネットワークを介して、ユーザの家にある記録再生装置１０にアクセスする（Ｓ７２）。
【００４３】
これに対して、ユーザのレコーダ１０においては、ライブラリ情報や予約履歴情報等をデータベース部４１等から取得して、ネットワーク等を介して、レンタル店のサーバ装置Ｓに送信する（Ｓ７３）。サーバ装置Ｓは、このビデオが既に借りられており、録画済の映像情報があることを表示する（Ｓ７４）。ユーザはこの画面から、既にこのビデオが借りられていることを知り（Ｓ７５）、別のビデオを探す（Ｓ７６）。そして、あるビデオを借りたいと考えると（Ｓ７７）、更に、他のビデオの情報をサーバ装置Ｓにより、自宅のレコーダ１０のライブラリ情報から判断し（Ｓ７８）、又、ユーザの家にある記録再生装置１０では、再び、ライブラリ情報を送信し（Ｓ７９）、自宅の記録再生装置１０には、ないことを表示する（Ｓ７８）。これに対して、レンタルビデオ店では、ビデオメディアをユーザに手渡しするか、ネットワークを介して、サーバ装置から自宅の記録再生装置１０へと送信するかを判断する（Ｓ８０）。これにより、ユーザは、ビデオメディアを直接受け取るか（Ｓ８２）、自宅の記録再生装置１０によりダウンロードして、データベース部４１等に格納するものである（Ｓ８１）。
【００４４】
本発明の一実施形態である記録再生装置１０においては、このように、ハードディスクレコーダ同士だけではなく、例えば、レンタルビデオ店のサーバ装置Ｓ等ともライブラリ情報を交換して、ライブラリ検索処理を行うことにより、ユーザが有するライブラリの状況に応じた、コンテンツデータ等の購入やレンタルを行うことが可能となる。
【００４５】
（ライブラリ検索処理に応じたダウンロード処理）
更に、本発明の一実施形態である記録再生装置１０においては、図７に示すように、内蔵するネットワークＩ／Ｆ部１１等を利用して、例えば、インターネット上のビデオサーバ店にアクセスして、映画等の映像情報をダウンロードすることが可能であり、この際にも、ライブラリ検索処理の検索結果を応用することが可能である。
【００４６】
すなわち、本発明の一実施形態である記録再生装置１０においては、図７のフローチャートに示すように、ユーザが記録再生装置１０を操作することで、インターネット上のビデオサーバ店Ｓにアクセスし（Ｓ９１、Ｓ９２）、ビデオサーバ店Ｓからのダウンロード可能なビデオリストデータを受けて（Ｓ９３）、ディスプレイ２６上にビデオのリストを表示する（Ｓ９２）。ユーザは、この表示された画面を参照して、あるビデオをダウンロードしようとするが、以前、借りたような気もしている（Ｓ９４）。
【００４７】
ここで、記録再生装置１０は、自身のデータベース部４１やライブラリ管理部４２のライブラリ情報とともに、ネットワーク上のユーザが所有するハードディスクレコーダやサーバ等のライブラリ情報等を取得し、これと、ビデオタイトルとを比較する（Ｓ９５）。そして、ユーザが指定したビデオタイトル（又はビデオサーバ店のビデオリスト）と、ライブラリ情報等との一致があれば、その旨を画面に表示し、ユーザは、自分が既にライブラリとして所有することを知る（Ｓ９７）。これにより、サーバにはダウンロード指示は行わない（Ｓ９６）。しかし、ここで、ダウンロードを行うかどうかをユーザに尋ねることも好適である。
【００４８】
これに応じて、ユーザは、ビデオリストから他のビデオを物色し（Ｓ９８）、あるビデオをダウンロードしたい時は（Ｓ９９）、本体又はネットワーク上のライブラリ情報を取得して、与えられたビデオ情報と、例えば、タイトル情報の比較処理等により比較を行う（Ｓ１００）。そして、ビデオタイトルが、ライブラリ情報等になければ、ビデオサーバ店Ｓにダウンロードを指示し（Ｓ１０１）、ビデオサーバ店では、指示に応じたビデオデータを、インターネット等を介して記録再生装置１０に転送する。記録再生装置１０では、これを、ネットワークＩ／Ｆ部１１等を介して受信して、データベース部４１等に格納し（Ｓ１０３）、ユーザは、このビデオデータを適宜再生するものである（Ｓ１０４）。
【００４９】
このように、本発明の一実施形態である記録再生装置１０は、内蔵するネットワークＩ／Ｆ部１１を用いて、インターネット上のビデオサーバ店等にアクセスして、コンテンツ情報等をダウンロードする際も、上述したようにライブラリ検索の検索結果を利用することができるものであり、これにより、ユーザの有するライブラリ状況に適応した処理を行うことが可能となる。
【００５０】
以上記載した実施形態においては、光ディスクのディスクドライバ部等を含む複合機としての記録再生装置において、本発明の一実施形態を説明したが、これに限らず、例えば、ハードディスクドライバ部だけを扱う記録再生装置においても、同等の処理が可能であることは言うまでもない。
【００５１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５２】
【図１】本発明の一実施形態に係る記録再生装置の構成の一例を示すブロック図。
【図２】本発明の一実施形態に係る記録再生装置のライブラリ検索処理の概要の一例を示す説明図。
【図３】本発明の一実施形態に係る記録再生装置のライブラリ検索処理の一実施形態を示すフローチャート。
【図４】本発明の一実施形態に係る記録再生装置のライブラリ検索処理の一例を示すフローチャート。
【図５】本発明の一実施形態に係る記録再生装置のライブラリ送信要求処理の一例を示すフローチャート。
【図６】本発明の一実施形態に係る記録再生装置のライブラリ送信処理の概要の一例を示すフローチャート。
【図７】本発明の一実施形態に係る記録再生装置のライブラリ検索・ダウンロード処理の一例を示すフローチャート。
【符号の説明】
【００５３】
１１…ネットワークＩ／Ｆ部、１２…チューナ部、１３…入力部、１８…ハードディスクドライブ部、１９…光ディスクドライブ部、２０…データ編集部、２１…エンコーダ部、２２…デコーダ部、２３…フォーマッタ部、２４…ビデオミキシング部、２６…ディスプレイ、２７…Ｉ／Ｆ部、３０…制御部、３２…操作部、３３…表示部、Ｒ…リモコン、４１…データベース部、４２…ライブラリ検索・比較・管理部、４３…予約録画管理部。
【図１】
2006019933.tif 000003
【図２】
2006019933.tif 000004
【図３】
2006019933.tif 000005
【図４】
2006019933.tif 000006
【図５】
2006019933.tif 000007
【図６】
2006019933.tif 000008
【図７】
2006019933.tif 000009